(57)【要約】  【課題】  アンカーボルトとナットにより被締結物を基礎に固定するアンカーボルト締結構造において、被締結物の振動を抑えつつ、締結部の信頼性向上が可能なアンカーボルト締結構造を提供する。  【解決手段】  アンカーボルトとナットにより被締結物を基礎に固定するアンカーボルト締結構造であって、基礎に固定されたアンカーボルトと、アンカーボルト通し穴を有し、前記アンカーボルト通し穴に前記アンカーボルトが挿通されて前記基礎上に配置された被締結物と、前記アンカーボルトに螺嵌され、前記被締結物を前記基礎上に固定するナットと、を備え、前記アンカーボルト、前記被締結物、前記ナットのいずれよりも融点の低い金属が前記アンカーボルトと前記アンカーボルト通し穴の間隙に充填されていることを特徴とする。【選択図】  図１
2019019613.tif 000002
【特許請求の範囲】
【請求項１】
アンカーボルトとナットにより被締結物を基礎に固定するアンカーボルト締結構造であって、
基礎に固定されたアンカーボルトと、
アンカーボルト通し穴を有し、前記アンカーボルト通し穴に前記アンカーボルトが挿通されて前記基礎上に配置された被締結物と、
前記アンカーボルトに螺嵌され、前記被締結物を前記基礎上に固定するナットと、を備え、
前記アンカーボルト、前記被締結物、前記ナットのいずれよりも融点の低い金属が前記アンカーボルトと前記アンカーボルト通し穴の間隙に充填されていることを特徴とするアンカーボルト締結構造。
【請求項２】
請求項１に記載のアンカーボルト締結構造であって、
前記金属と前記ナットの間に空隙部を有することを特徴とするアンカーボルト締結構造。
【請求項３】
請求項１または２に記載のアンカーボルト締結構造であって、
前記アンカーボルト通し穴は、大径部と小径部を有し、
前記小径部が前記大径部よりも前記ナット側であることを特徴とするアンカーボルト締結構造。
【請求項４】
請求項１または２に記載のアンカーボルト締結構造であって、
前記アンカーボルト通し穴は、大径部と小径部を有し、
前記大径部が前記小径部よりも前記ナット側であることを特徴とするアンカーボルト締結構造。
【請求項５】
請求項１または２に記載のアンカーボルト締結構造であって、
前記基礎の前記アンカーボルトとの結合部に、開口径が前記アンカーボルト通し穴の穴径よりも大きな凹部を有し、
前記凹部に前記金属が充填されていることを特徴とするアンカーボルト締結構造。
【請求項６】
請求項１から５のいずれか１項に記載のアンカーボルト締結構造であって、
前記ナットと前記被締結物の間に座金を有することを特徴とするアンカーボルト締結構造。
【請求項７】
請求項１から６のいずれか１項に記載のアンカーボルト締結構造であって、
前記被締結物と前記基礎の間にメタルシールを有することを特徴とするアンカーボルト締結構造。
【請求項８】
請求項１から７のいずれか１項に記載のアンカーボルト締結構造であって、
前記金属は、アルミニウムまたは鉛を主成分とすることを特徴とするアンカーボルト締結構造。
【請求項９】
アンカーボルトとナットにより被締結物を基礎に固定するアンカーボルト締結構造であって、
基礎に固定されたアンカーボルトと、
アンカーボルト通し穴を有し、前記アンカーボルト通し穴に前記アンカーボルトが挿通されて前記基礎上に配置された被締結物と、
前記アンカーボルトに螺嵌され、前記被締結物を前記基礎上に固定するナットと、を備え、
前記アンカーボルト通し穴内に前記アンカーボルトを支持する板材を有することを特徴とするアンカーボルト締結構造。
【請求項１０】
以下の工程を含むアンカーボルト締結方法；
（ａ）被締結物の開口を基礎に固定されたアンカーボルトに挿入し、前記被締結物を前記基礎上に配置する工程と、
（ｂ）前記アンカーボルト、前記被締結物、ナットのいずれよりも融点の低い金属材料を前記アンカーボルトと前記開口の間隙に充填する工程と、
（ｃ）前記アンカーボルトに前記ナットを螺嵌し、前記被締結物を前記基礎上に固定する工程。
【請求項１１】
請求項１０に記載のアンカーボルト締結方法であって、
前記（ｂ）工程において、前記金属材料と前記ナットの間に空隙部を形成するように前記金属材料を充填することを特徴とするアンカーボルト締結方法。
【請求項１２】
請求項１０または１１に記載のアンカーボルト締結方法であって、
前記金属材料は、アルミニウムまたは鉛を主成分とすることを特徴とするアンカーボルト締結方法。
【発明の詳細な説明】
【技術分野】
【０００１】
本発明は、アンカーボルトとナットにより被締結物を基礎に固定するアンカーボルト締結構造およびアンカーボルト締結方法に係り、特に、振動が発生する被締結物の固定に適用して有効な技術に関する。
【背景技術】
【０００２】
軸流ファンや圧縮機などの産業機器の原価低減への要請が高まり、軽量化を通じた原価低減が推進されている。通常、軽量化により機器の剛性が低下すると、機器の固有振動数は低下する。低下した固有振動数が機器の運転周波数と一致すると共振が発生し、機器の性能不全や破損が生じる可能性が高まる。そのため、機器の固有振動数を維持しつつ、軽量化を進めることが重要となる。
【０００３】
機器の固有振動数は、構造物（機器）自体の剛性のみならず、基礎に対する締結部材（アンカーボルト）の締結部の剛性にも大きく依存する。そのため、基礎とアンカーボルトとの間の締結構造における剛性を向上させることにより、機器の固有振動数を増大させる事が可能である。本発明は、いわゆる箱抜き形式により施工した、機器と基礎の間のアンカーボルト締結構造を対象とする。
【０００４】
箱抜き形式によるアンカーボルトの施工では、被締結物（機器の取り付け金具等）に設けられたアンカーボルト通し穴にアンカーボルトを挿入した状態で、被締結物及びアンカーボルトの仮固定を行う。被締結物の据え付け調整の後、アンカーボルト下部が埋没するようにグラウトを注入することで、基礎を敷設すると同時に、基礎に対しアンカーボルトを固定する。最後に、アンカーボルトにナットを取り付け、被締結物を基礎に対し固定する。
【０００５】
施工時の位置ずれを考慮し、被締結物に設けられたアンカーボルトの通し穴は、一般的にアンカーボルトの径よりも大幅に大きく加工される。その結果、アンカーボルト側面と、アンカーボルト通し穴内面の間にはクリアランスが存在する。また、ナット座面圧力の分散を目的に被締結物とナットの間に座金が用いられるケースや、ナットの緩み止めを目的にダブルナットが採用されるケースもある。
【０００６】
締結部の締結特性を向上させる方策として、アンカーボルト側面とアンカーボルト通し穴の間のクリアランスを充填剤により埋める手法が提案されている。例えば、特許文献１の構造においては、クリアランス部及びナット座面部に合成樹脂を材料とする充填剤を充填し、各部材間を接着することで、ナットの緩みを抑制している。
【０００７】
また、特許文献２には、ボルトと車体フレーム（被締結部材）との間に、ボルトより剛性の弱い金属、例えばＡｌ−Ｍｎ系アルミ合金で構成された充填材が装着され、ボルトとナットとを締めつけると、充填材が変形してボルトと車体フレームとの隙間が埋められる自動車構造材の締結構造が開示されている。
【先行技術文献】
【特許文献】
【０００８】
【特許文献１】特開平８−２３２９３９号公報
【特許文献２】特開平７−２６９５３０号公報
【発明の概要】
【発明が解決しようとする課題】
【０００９】
アンカーボルト締結部の水平方向剛性を向上させるための方策として、締結部が水平方向に荷重を受けた際の力の支点をナット座面に近づけ、アンカーボルトの受ける曲げモーメントを低下させることが考えられる。従来構造では、アンカーボルトまたはナットに対し水平方向に力が加わると、基礎上面とアンカーボルトとの間の接合部が力の支点となる。ナット座面と力の支点は被締結物の板厚分だけ距離が離れているため、アンカーボルトに作用する曲げモーメントは大きくなり、アンカーボルト締結部の水平方向剛性は低くなる。
【００１０】
上記特許文献１のように、アンカーボルト側面とアンカーボルト通し穴内面の間のクリアランス部に充填剤を充填すると、力の支点が充填剤上面とアンカーボルト側面の接合部へと変わる。その結果、力の支点がナットの座面に近づき、アンカーボルトの受ける曲げモーメントが低下するため、曲げ剛性の向上が期待できる。
【００１１】
しかしながら、特許文献１のように、アンカーボルト側面とアンカーボルト通し穴の間のクリアランスに樹脂系材料を充填する場合、アンカーボルトやナットといった金属を材料とする締結部材と比べて充填剤の剛性は大幅に低いため、アンカーボルト締結部における水平方向剛性の大幅な向上は見込めない。
【００１２】
また、上記特許文献２の締結構造においても、ボルトと車体フレーム（被締結部材）との間に装着される充填材にＡｌ−Ｍｎ系アルミ合金のようなボルトより剛性の弱い金属を用いるとしており、特許文献１と同様に、アンカーボルト締結部における水平方向剛性の大幅な向上は期待できない。
【００１３】
そこで、本発明の目的は、アンカーボルトとナットにより被締結物を基礎に固定するアンカーボルト締結構造において、被締結物の振動を抑えつつ、締結部の信頼性向上が可能なアンカーボルト締結構造を提供することにある。
【００１４】
また、本発明の別の目的は、アンカーボルトとナットを用いて被締結物を基礎に固定するアンカーボルト締結方法において、被締結物の振動を抑えつつ、締結部の信頼性向上が可能なアンカーボルト締結方法を提供することにある。
【課題を解決するための手段】
【００１５】
上記課題を解決するために、本発明は、アンカーボルトとナットにより被締結物を基礎に固定するアンカーボルト締結構造であって、基礎に固定されたアンカーボルトと、アンカーボルト通し穴を有し、前記アンカーボルト通し穴に前記アンカーボルトが挿通されて前記基礎上に配置された被締結物と、前記アンカーボルトに螺嵌され、前記被締結物を前記基礎上に固定するナットと、を備え、前記アンカーボルト、前記被締結物、前記ナットのいずれよりも融点の低い金属が前記アンカーボルトと前記アンカーボルト通し穴の間隙に充填されていることを特徴とする。
【００１６】
また、本発明は、アンカーボルトとナットにより被締結物を基礎に固定するアンカーボルト締結構造であって、基礎に固定されたアンカーボルトと、アンカーボルト通し穴を有し、前記アンカーボルト通し穴に前記アンカーボルトが挿通されて前記基礎上に配置された被締結物と、前記アンカーボルトに螺嵌され、前記被締結物を前記基礎上に固定するナットと、を備え、前記アンカーボルト通し穴内に前記アンカーボルトを支持する板材を有することを特徴とする。
【００１７】
また、本発明は、（ａ）被締結物の開口を基礎に固定されたアンカーボルトに挿入し、前記被締結物を前記基礎上に配置する工程と、（ｂ）前記アンカーボルト、前記被締結物、ナットのいずれよりも融点の低い金属材料を前記アンカーボルトと前記開口の間隙に充填する工程と、（ｃ）前記アンカーボルトに前記ナットを螺嵌し、前記被締結物を前記基礎上に固定する工程、を含むアンカーボルト締結方法である。
【発明の効果】
【００１８】
本発明によれば、アンカーボルトとナットにより被締結物を基礎に固定するアンカーボルト締結構造において、被締結物の振動を抑えつつ、締結部の信頼性向上が可能なアンカーボルト締結構造を実現できる。
【００１９】
また、アンカーボルトとナットを用いて被締結物を基礎に固定するアンカーボルト締結方法において、被締結物の振動を抑えつつ、締結部の信頼性向上が可能なアンカーボルト締結方法を実現できる。
【００２０】
上記した以外の課題、構成および効果は、以下の実施形態の説明によって明らかにされる。
【図面の簡単な説明】
【００２１】
【図１】本発明の一実施形態に係るアンカーボルト締結構造の断面図である。
【図２】本発明の一実施形態に係るアンカーボルト締結構造の断面図である。
【図３】本発明の一実施形態に係るアンカーボルト締結構造の断面図である。
【図４】本発明の一実施形態に係るアンカーボルト締結構造の断面図である。
【図５】本発明の一実施形態に係る軸流ファンの全体概要を示す斜視図である。
【図６】本発明の一実施形態に係るアンカーボルト締結方法を示すフローチャートである。
【図７】本発明の一実施形態に係るアンカーボルト締結構造の断面図である。
【図８】本発明の一実施形態に係るアンカーボルト締結構造の断面図である。
【図９】本発明の一実施形態に係るアンカーボルト締結構造の断面図である。
【発明を実施するための形態】
【００２２】
以下、図面を用いて本発明の実施例を説明する。なお、各図面において、同一の構成については同一の符号を付し、重複する部分についてはその詳細な説明は省略する。
【実施例１】
【００２３】
図１および図５，図６を参照して、実施例１のアンカーボルト締結構造およびアンカーボルト締結方法について説明する。図１は本実施例のアンカーボルト締結構造を示す断面図であり、図５は本発明の対象となる被締結部材の例を示す斜視図である。なお、本実施例では、被締結部材の例として図５に示す軸流ファンを用いて説明する。図６は本発明の代表的なアンカーボルト締結方法を示すフローチャートである。
【００２４】
図１に示すように、本実施例のアンカーボルト締結構造１００は、主要な構成として、アンカーボルト１０１、ナット１０２、被締結物１０３、基礎１０４、充填剤１０５を備えている。アンカーボルト１０１は、グラウトを材料とする基礎１０４表面に対し鉛直に施設され、アンカーボルト１０１の下部を基礎１０４に埋没させることにより、固定されている。
【００２５】
被締結物１０３は、例えば軸流ファンの脚部に設けられる取り付け金具（固定金具）等である。また、グラウト（grout）とは、建設工事等において空洞、空隙、隙間などを埋めるために注入する流動性の液体を指し、例えばセメントやモルタル、ガラス材、合成樹脂などである。
【００２６】
アンカーボルト１０１の上部には雄ネジ部１０６が設けられており、雄ネジ部１０６は基礎１０４より突出している。被締結物１０３にはアンカーボルト通し穴１０７が設けられ、被締結物１０３はアンカーボルト１０１がアンカーボルト通し穴１０７の内側を貫通して配置されるよう、基礎１０４上に設置される。被締結物１０３は、アンカーボルトの雄ネジ部１０６に取り付けられた（螺合された）ナット１０２により、基礎１０４に対し締結・固定される。
【００２７】
アンカーボルト１０１の側面とアンカーボルト通し穴１０７の内面の間には、充填剤１０５が充填されている。なお、アンカーボルト１０１やナット１０２、被締結物１０３などの他の締結用部材の溶融を防ぐため、充填剤１０５の材質は、被締結物１０３やナット１０２より融点の低い材料とする必要がある。また、締結部の剛性を大きく向上させるためには、充填剤１０５の材料として、アンカーボルト１０１や被締結物１０３といった他の締結部材と剛性差の小さいものを用いることが必須であるため、アルミニウムや鉛等を主成分とする金属材料を用いる。
【００２８】
なお、充填剤１０５がアンカーボルト通し穴１０７より溢れ出てしまうと、ナット１０２により被締結物１０３を締結することが困難となる。そのため、充填剤１０５はアンカーボルト通し穴１０７上部に空隙部１０８が残るよう充填するのが好適である。
【００２９】
アンカーボルト１０１と充填剤１０５、充填剤１０５とアンカーボルト通し穴１０７内面との接触面は接合状態にあり、アンカーボルト１０１またはナット１０２に対し水平方向に力が付与されると、アンカーボルト１０１と充填剤１０５の接合部が力の支点となる。従来構造と比べて、力の支点と作用点が近づくことで、アンカーボルト１０１にかかる曲げモーメントが小さくなり、アンカーボルト締結部の水平方向剛性が向上する。また、アンカーボルト１０１と充填剤１０５が接合されることにより、アンカーボルト締結部の鉛直方向剛性も向上する。
【００３０】
充填剤１０５は、アンカーボルト１０１に対する被締結物１０３の配置を仮決めした後、溶融させた充填剤１０５をアンカーボルト１０１と被締結物１０３の間（アンカーボルト１０１の側面とアンカーボルト通し穴１０７の内面の間）に流し込むことで充填する。
【００３１】
充填剤１０５が固化した後、ナット１０２を締め被締結物１０３を固定する。このような手順を取ることにより、アンカーボルト１０１がアンカーボルト通し穴１０７に対し大きく偏心している場合でも、支障なく施工する事が可能となる。なお、被締結物１０３とナット１０２の間に座金を挟んだ構造としてもよく、ナット１０２をダブルナットとしてもよい。（本実施例の変形例については、後述する他の実施例で詳しく説明する。）
本発明の対象となる被締結部材の例として、図５に軸流ファン１の全体概要を示す。軸流ファン１の用途としては、例えば産業プラント内の吸排気やトンネル工事現場等の吸排気、ビル空調のための送風機などが挙げられる。軸流ファン１は、ケーシング内で羽根車（ブレード）が高速で回転するため、騒音と共に振動が発生する。軸流ファン１は、その構造や重量、基礎１０４への固定状態により一意的に決定される固有振動数を有しており、軸流ファン１の稼働時に発生する振動の周波数（運転周波数）がこの固有振動数と一致した場合、共振作用により軸流ファン１の振動（振幅）が増幅され、軸流ファン１に故障や破損が生じる恐れがある。
【００３２】
そこで、本実施例では、図５に示すように、上述したアンカーボルト締結構造１００により軸流ファン１を基礎１０４に締結・固定する。従来のアンカーボルト締結構造では、アンカーボルトまたはナットに対し水平方向に力が付与されると、基礎上面とアンカーボルトとの間の接合部が力の支点となる。荷重点と支点の間の間隔が被締結物の板厚分だけ離れているため、アンカーボルトに作用する曲げモーメントは大きくなり、アンカーボルト締結部の水平方向剛性は低くなる。
【００３３】
一方、本実施例のアンカーボルト締結構造１００において、アンカーボルト１０１は、アンカーボルト１０１側面と被締結物１０３に設けたアンカーボルト通し穴１０７の内面との間に充填された剛性の高い金属材料（充填剤１０５）によって支持される。アンカーボルト１０１またはナット１０２に対し水平方向に力が付与されると、力の支点は充填剤１０５上面とアンカーボルト１０１側面の接合部となり、力の作用点と支点は従来構造よりもナット１０２の座面側に近づくため、アンカーボルト１０１に作用する曲げモーメントは小さくなり、水平方向剛性が向上する。
【００３４】
以上の原理により、本実施例のアンカーボルト締結構造１００では従来構造と比べて被締結物（軸流ファン１）の固有振動数が増大し、振動信頼性が向上する。
【００３５】
図６を用いて、上述したアンカーボルト締結構造１００による代表的なアンカーボルト締結方法を説明する。
【００３６】
先ず、被締結物１０３の開口（軸流ファン１の取り付け金具のアンカーボルト通し穴１０７）を基礎１０４に固定されたアンカーボルト１０１へ挿入し、被締結物１０３（軸流ファン１）を基礎１０４上へ配置する。（ステップＳ１）
次に、被締結物１０３の開口（軸流ファン１の取り付け金具のアンカーボルト通し穴１０７）とアンカーボルト１０１の間隙に充填剤１０５（他の締結部材よりも融点が低い金属材料）を注入する。（ステップＳ２）
続いて、アンカーボルト１０１にナット１０２を螺嵌（らかん）し、被締結物１０３（軸流ファン１）を基礎１０４に締結・固定する。（ステップＳ３）
以上の各ステップを経ることで、被締結物１０３（軸流ファン１）の振動を抑えつつ、締結部の信頼性を向上することができる。
【００３７】
なお、本実施例のアンカーボルト締結構造１００は、上記した軸流ファン以外にも、例えば産業用の圧縮機や軸流ポンプなど、箱抜き形式により施工したアンカーボルト締結部に対して汎用的に適用することができる。
【実施例２】
【００３８】
図２を参照して、実施例２のアンカーボルト締結構造について説明する。図２は本実施例のアンカーボルト締結構造２００を示す断面図であり、図１のアンカーボルト通し穴１０７の形状を変更した変形例である。
【００３９】
本実施例のアンカーボルト締結構造２００は、図２に示すように、アンカーボルト通し穴１０７に関し、ナット１０２座面付近のアンカーボルト通し穴上部２０１（小径部）の穴径が、基礎１０４上面付近のアンカーボルト通し穴下部２０２（大径部）の径より小さくなる構造としている点において、実施例１のアンカーボルト締結構造１００とは異なる。
【００４０】
図２のように、被締結物１０３のアンカーボルト通し穴をアンカーボルト通し穴上部２０１（小径部）とアンカーボルト通し穴下部２０２（大径部）の二段構造にすることで、充填剤１０５が被締結物１０３と上下方向にかみ合うようになり、充填剤１０５と被締結物１０３との接合部のみならず、充填剤１０５自体の剛性がアンカーボルト締結部における鉛直方向剛性の向上に寄与する。
【００４１】
その結果、実施例１（図１）のアンカーボルト締結構造１００のようにアンカーボルト通し穴１０７の穴径を一定とした場合に比べて、鉛直方向剛性をさらに向上させる効果を見込むことができる。
【実施例３】
【００４２】
図３を参照して、実施例３のアンカーボルト締結構造について説明する。図３は本実施例のアンカーボルト締結構造３００を示す断面図であり、図１のアンカーボルト通し穴１０７の形状を変更した変形例である。
【００４３】
本実施例のアンカーボルト締結構造３００は、図３に示すように、アンカーボルト通し穴１０７に関し、ナット１０２座面付近のアンカーボルト通し穴上部３０１（大径部）の穴径が、基礎１０４上面付近のアンカーボルト通し穴下部３０２（小径部）の穴径より大きくなる構造としている点において、実施例１のアンカーボルト締結構造１００とは異なる。
【００４４】
図３のように、被締結物１０３のアンカーボルト通し穴をアンカーボルト通し穴上部３０１（大径部）とアンカーボルト通し穴下部３０２（小径部）の二段構造にすることで、実施例２（図２）の形状（構造）と同様に、充填剤１０５自体の剛性がアンカーボルト締結部における鉛直方向剛性の向上に寄与する。
【００４５】
その結果、実施例１（図１）のアンカーボルト締結構造１００のようにアンカーボルト通し穴１０７の穴径を一定とした場合に比べて、鉛直方向剛性をさらに向上させる効果を見込むことができる。
【実施例４】
【００４６】
図４を参照して、実施例４のアンカーボルト締結構造について説明する。図４は本実施例のアンカーボルト締結構造４００を示す断面図であり、図１の基礎１０４におけるアンカーボルト１０１挿入部（結合部）を凹形状へと変更した変形例である。
【００４７】
本実施例のアンカーボルト締結構造４００は、図４に示すように、基礎１０４に凹部４０１が設けられている点において、実施例１のアンカーボルト締結構造１００とは異なる。凹部４０１は、その外郭（外周部）がアンカーボルト通し穴１０７の外周の外側にあるよう施工する。つまり、凹部４０１の開口径がアンカーボルト通し穴１０７の穴径よりも大きくなるように凹部４０１を設ける。基礎１０４に凹部４０１を設けたことにより、充填剤１０５は被締結物１０３直下にも導入される。充填剤１０５は被締結物１０３と上下方向にかみ合った形状（構造）となり、充填剤１０５と被締結物１０３との接合部のみならず、充填剤１０５自体の剛性がアンカーボルト締結部における鉛直方向剛性の向上に寄与する。
【００４８】
その結果、実施例１（図１）のアンカーボルト締結構造１００のように基礎１０４に凹部４０１を設けない構造に比べて、鉛直方向剛性をさらに大きく向上させることができる。
【実施例５】
【００４９】
図７を参照して、実施例５のアンカーボルト締結構造について説明する。図７は本実施例のアンカーボルト締結構造７００を示す断面図であり、図１のアンカーボルト締結構造１００に座金７０１を適用した変形例である。
【００５０】
本実施例のアンカーボルト締結構造７００は、図７に示すように、ナット１０２と被締結物１０３の間に座金７０１が設けられている点において、実施例１のアンカーボルト締結構造１００とは異なる。本実施例のように、ナット１０２と被締結物１０３の間に座金７０１を介在させることで、ナット１０２と被締結物１０３との間の実効的な接触面積が増え、アンカーボルト１０１にナット１０２を螺嵌（らかん）する際の締め付け効果を上げることができる。また、アンカーボルト締結構造７００の固定後のナット１０２の緩み止めの効果も期待できる。
【００５１】
その結果、実施例１（図１）のアンカーボルト締結構造１００のように座金７０１を設けない構造に比べて、アンカーボルト締結部の信頼性をさらに向上させることができる。
【実施例６】
【００５２】
図８を参照して、実施例６のアンカーボルト締結構造について説明する。図８は本実施例のアンカーボルト締結構造８００を示す断面図であり、図１のアンカーボルト締結構造１００にメタルシール８０１を適用した変形例である。
【００５３】
本実施例のアンカーボルト締結構造８００は、図８に示すように、被締結物１０３と基礎１０４の間にメタルシール８０１が設けられている点において、実施例１のアンカーボルト締結構造１００とは異なる。本実施例のように、被締結物１０３と基礎１０４の間にメタルシール８０１を設けることで、アンカーボルト１０１とアンカーボルト通し穴１０７の間隙に充填剤１０５を注入した際に、被締結物１０３と基礎１０４との境界部分の隙間に充填剤１０５が漏れ出すのを抑制することができる。
【００５４】
その結果、アンカーボルト１０１とアンカーボルト通し穴１０７の間隙に所望の量の充填剤１０５を確実に注入することができ、アンカーボルト締結部の信頼性をさらに向上させることができる。
【実施例７】
【００５５】
図９を参照して、実施例７のアンカーボルト締結構造について説明する。図９は本実施例のアンカーボルト締結構造９００を示す断面図であり、図１のアンカーボルト締結構造１００の充填剤１０５に替えて、板材９０１を適用した変形例である。
【００５６】
本実施例のアンカーボルト締結構造９００は、図９に示すように、アンカーボルト１０１とアンカーボルト通し穴１０７の間隙に充填剤１０５を充填する代わりに、鉄材やステンレス鋼等の剛性の高い金属材料からなる板材９０１をアンカーボルト１０１とアンカーボルト通し穴１０７の間隙に設けている点において、実施例１のアンカーボルト締結構造１００とは異なる。本実施例のように、充填剤１０５に替えて、アンカーボルト１０１とアンカーボルト通し穴１０７の間隙に高剛性の板材９０１を設けることで、アンカーボルト通し穴１０７内においてアンカーボルト１０１が板材９０１により支持されるため、充填剤１０５を充填した場合と同様の効果が期待できる。
【００５７】
従って、実施例１のアンカーボルト締結構造１００と同様に、被締結物１０３（軸流ファン１）の振動を抑えつつ、締結部の信頼性を向上することができる。
【００５８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５９】
１…軸流ファン
１００，２００，３００，４００，７００，８００，９００：アンカーボルト締結構造
１０１：アンカーボルト
１０２：ナット
１０３：被締結物（機器の取付け金具等）
１０４：基礎
１０５：充填剤
１０６：アンカーボルトの雄ネジ部
１０７：アンカーボルト通し穴
１０８：空隙部
２０１：アンカーボルト通し穴上部（小径部）
２０２：アンカーボルト通し穴下部（大径部）
３０１：アンカーボルト通し穴上部（大径部）
３０２：アンカーボルト通し穴下部（小径部）
４０１：凹部（基礎凹部）
７０１：座金
８０１：メタルシール
９０１：板材
【図１】
2019019613.tif 000003
【図２】
2019019613.tif 000004
【図３】
2019019613.tif 000005
【図４】
2019019613.tif 000006
【図５】
2019019613.tif 000007
【図６】
2019019613.tif 000008
【図７】
2019019613.tif 000009
【図８】
2019019613.tif 000010
【図９】
2019019613.tif 000011